(57)【要約】【課題】  ８００ＭＨｚ帯から２０００ＭＨｚ帯までをカバーすることのできる小型の平面アンテナとする。【解決手段】  絶縁性の基板１０の一面に第１エレメント１１と第２エレメント１２とを形成する。第１エレメント１１および第２エレメント１２は、ループエレメント１１ａ，１２ａとループエレメント内に形成されたＴ型エレメント１１ｂ，１２ｂからなり、ループエレメント１１ａ，１２ａは給電点から拡がるテーパ部を有している。これにより、小型で広帯域の平面アンテナ１を実現できる。【選択図】  図１
2008035077.tif 000002
【特許請求の範囲】
【請求項１】
平板状の長方形とされている絶縁基板と、
該絶縁基板の一面に形成された第１エレメントと第２エレメントからなるエレメント部とを備え、
前記第１エレメントおよび前記第２エレメントは、給電点からテーパ状に拡がるループ状に形成されたループエレメントと、該ループエレメントの内部に形成されているＴ型エレメントからなり、前記第１エレメントと前記第２エレメントとはほぼ線対称の形状とされていることを特徴とする平面アンテナ。
【請求項２】
前記絶縁基板の他面に細長い形状の無給電素子が前記第２エレメントあるいは前記第１エレメントに対向するよう形成されていることを特徴とする請求項１記載の平面アンテナ。
【発明の詳細な説明】
【技術分野】
【０００１】
本発明は、小型かつ広帯域の平面アンテナに関し、特に通信モジュール用のアンテナに適用して好適な平面アンテナに関するものである。
【背景技術】
【０００２】
近年、業務用無線において通信モジュールを用いたシステムの開発が進んでいる。この通信モジュールが利用する通信網の一つとして８００ＭＨｚ帯および２０００ＭＨｚ帯を使用している携帯電話網があげられる。この場合、通信モジュールには、通信網が利用する周波数帯域で動作する小型のアンテナが必要となる。
ところで、ＵＷＢ（Ultra Wide Band） といわれる無線通信方式が知られている。ＵＷＢは、データを１ＧＨｚ程度の極めて広い周波数帯に拡散して送受信を行なうようにしている。このため、それぞれの周波数帯に送信されるデータはノイズ程度の強さしかないため、同じ周波数帯を使う無線機器と混信することがなく、消費電力も少ない利点がある。このようなＵＷＢ用のアンテナは広い周波数帯で動作するアンテナとされており、その一例の平面アンテナの構成を図１６に示す。
【０００３】
図１６に示す平面アンテナ１００は、テフロン基板やガラスエポキシ基板等の絶縁性の基板１１０の一面にエレメントをプリントにより形成することにより構成されている。基板１１０は横に長い長方形とされており、右半面に拡大した放射表面を有する第１エレメント１１１が形成されており、左半面に拡大した放射表面を有する第２エレメント１１２が形成されている。第１エレメント１１１は、基板１１０のほぼ中心部に配置されている給電点１１３ａからテーパ状に拡大されて基板１１０の周縁に一致するよう形成されており、第２エレメント１１２も給電点１１３ａに対向するよう配置されている給電点１１３ｂからテーパ状に拡大されて基板１１０の周縁に一致するよう形成されている。このように、第１エレメント１１１と第２エレメント１１２とはほぼ線対称の形状に形成されている。
【０００４】
平面アンテナ１００の長さＬ２０が約１０５ｍｍ、幅Ｗ２０が約４３ｍｍ、テーパ間距離Ｌ２１が約３０ｍｍとされた際の平面アンテナ１００の電圧定在波比（ＶＳＷＲ）の周波数特性を図１７に示す。図１７を参照すると、９２５ＭＨｚないし２１７０ＭＨｚにおいてはＶＳＷＲが約２．４以下の良好な特性を示しており、広い周波数帯で動作するアンテナとされていることが分かる。
【発明の開示】
【発明が解決しようとする課題】
【０００５】
通信モジュールが８００ＭＨｚ帯および２０００ＭＨｚ帯を使用している携帯電話網を利用できるようにするには、８００ＭＨｚ帯から２０００ＭＨｚ帯までをカバーするアンテナが必要となる。携帯電話網における８００ＭＨｚ帯の周波数帯域は、例えば８１５ＭＨｚないし９２５ＭＨｚとされ、２０００ＭＨｚ帯の周波数帯域は、例えば１９２０ＭＨｚないし２１７０ＭＨｚとされている。このように広い周波数帯でアンテナを動作させなければならないことから、広い周波数帯で動作する上記した従来の平面アンテナ１００を適用できるか検討すると、８１５ＭＨｚないし９２５ＭＨｚの８００ＭＨｚ帯においてはＶＳＷＲが５．５にもなってしまい８００ＭＨｚ帯はカバーすることができないことになる。このように、従来は８００ＭＨｚ帯および２０００ＭＨｚ帯を使用している携帯電話網の全体に亘る周波数帯域をカバーすることができるアンテナが存在していないという問題点があった。また、アンテナは通信モジュールに組み込まれることから小型のアンテナとする必要があった。
【０００６】
そこで、本発明は８００ＭＨｚ帯から２０００ＭＨｚ帯までをカバーすることのできる小型の平面アンテナを提供することを目的としている。
【課題を解決するための手段】
【０００７】
上記目的を達成するために、本発明は、給電点からテーパ状に拡がるループ状に形成されたループエレメントと、該ループエレメントの内部に形成されているＴ型エレメントからなる第１エレメントおよび第２エレメントを絶縁性の基板上に形成したことを最も主要な特徴としている。
【発明の効果】
【０００８】
本発明によれば、給電点からテーパ状に拡がるループ状に形成されたループエレメントと、該ループエレメントの内部に形成されているＴ型エレメントからなる第１エレメントおよび第２エレメントを絶縁性の基板上に形成したことことから、８００ＭＨｚ帯から２０００ＭＨｚ帯までにおいて動作することのできる小型の平面アンテナとすることができる。
【発明を実施するための最良の形態】
【０００９】
本発明の第１実施例にかかる平面アンテナの構成を図１および図２に示す。ただし、図１は第１実施例の平面アンテナの一面の構成を示しており、図２は第１実施例の平面アンテナの他面の構成を示している。
これらの図に示すように、本発明の第１実施例にかかる平面アンテナ１は、テフロン基板やガラスエポキシ基板等の高周波特性の良好な絶縁性の基板１０の一面に第１エレメント１１と第２エレメント１２との２つがプリントにより形成されて構成されている。基板１０は横に長い長方形とされており、右半面に第１エレメント１１が形成されており、左半面に第２エレメント１２が形成されている。第１エレメント１１は、給電点から拡がるテーパ部を有しほぼ基板１０の周縁に沿って形成されている第１ループエレメント１１ａと、この第１ループエレメント１１ａの内部に形成された第１Ｔ型エレメント１１ｂとから構成されている。第１Ｔ型エレメント１１ｂは給電点から延伸された直線部と、直線部の先端に形成された直線部にほぼ直交する頭部とから構成されている。
【００１０】
また、第２エレメント１２は第１エレメント１１とほぼ線対称の形状に形成されており、給電点から拡がるテーパ部を有しほぼ基板１０の周縁に沿って形成されている第２ループエレメント１２ａと、この第２ループエレメント１２ａの内部に形成された第２Ｔ型エレメント１２ｂとから構成されている。第２Ｔ型エレメント１２ｂは給電点から延伸された直線部と、直線部の先端に形成された直線部にほぼ直交する頭部とから構成されている。
基板１０の他面には横方向に細長く延伸された無給電素子１３が、例えば第２エレメント１２に対面するよう形成されている。また、第１エレメント１１の給電点とスルーホールで接続された給電部１４ａのパターンと、第２エレメント１２の給電点とスルーホールで接続された給電部１４ｂのパターンとが形成されている。平面アンテナ１は同軸ケーブルにより給電されるが、同軸ケーブルの芯線が給電部１４ａのパターンにハンダ付けにより接続され、芯線に同軸配置されているシールド導体が給電部１４ｂのパターンにハンダ付けにより接続される。なお、無給電素子１３は第１エレメント１１に対面するよう形成しても良い。
【００１１】
本発明の第１実施例にかかる平面アンテナ１は、８００ＭＨｚ帯および２０００ＭＨｚ帯を使用している携帯電話網において動作可能な平面アンテナとされ、少なくとも８１５ＭＨｚないし２１７０ＭＨｚの周波数帯において３以下となるＶＳＷＲ特性を示すようにされている。この場合の平面アンテナ１の寸法の一例を次に示す。ここでは、８８０ＭＨｚの波長をλ0、２０００ＭＨｚの波長をλ01として平面アンテナ１の寸法を示す。
平面アンテナ１の横の長さＬ１は約０．３１λ0（約０．７λ01）とされ、平面アンテナ１の幅Ｗ１は約０．１３λ0（約０．２８λ01）とされ、無給電素子１３の長さＬ３は約０．１１λ0（約０．２５λ01）とされ、無給電素子１３の幅Ｗ２は約０．０２λ0（約０．０４λ01）とされている。このように、本発明にかかる第１実施例の平面アンテナ１は、長さＬ１が約１０５ｍｍとされ、幅Ｗ１が約４４ｍｍとされて従来の平面アンテナ１００とほぼ同様の小型の平面アンテナとされている。
【００１２】
また、第１ループエレメント１１ａのテーパ部と第２ループエレメント１２ａのテーパ部との距離Ｌ２は約０．０８λ0（約０．１８λ01）とされ、第１ループエレメント１１ａと第２ループエレメント１２ａの垂直部の幅Ｄ１は約０．０２λ0（約０．０４λ01）とされ、その上側水平部の幅Ｄ３は約０．０２５λ0（約０．０６λ01）とされ、その下側水平部の幅Ｄ４は約０．０２λ0（約０．０４λ01）とされている。さらに、第１Ｔ型エレメント１１ｂおよび第２Ｔ型エレメント１２ｂの頭部の幅Ｄ２は約０．０１λ0（約０．０３λ01）とされ、その直線部の幅Ｄ５は約０．０１λ0（約０．０３λ01）とされている。さらにまた、第１Ｔ型エレメント１１ｂおよび第２Ｔ型エレメント１２ｂの頭部と、第１ループエレメント１１ａと第２ループエレメント１２ａの垂直部との間隔Ｓ１は約０．０２λ0（約０．０４λ01）とされ、第１Ｔ型エレメント１１ｂおよび第２Ｔ型エレメント１２ｂの頭部と、第１ループエレメント１１ａと第２ループエレメント１２ａの水平部との間隔Ｓ２は約０．００４λ0（約０．０１λ01）とされている。
【００１３】
このような寸法とされた際の本発明の第１実施例の平面アンテナ１の電圧定在波比（ＶＳＷＲ）の周波数特性を図３に示す。図３を参照すると、８１５ＭＨｚないし２１７０ＭＨｚにおいてはＶＳＷＲが約２．６以下の良好な特性を示しており、８００ＭＨｚ帯から２０００ＭＨｚ帯までを十分カバーしていることが分かる。この場合、ＶＳＷＲが３以下の周波数範囲は約８００ＭＨｚないし２８００ＭＨｚの広帯域にわたっており、第１実施例の平面アンテナ１は小型で超広帯域の平面アンテナを実現することができる。
ここで、平面アンテナ１の横の長さＬ１を約０．３１λ0（約０．７λ01）とすると共に、平面アンテナ１の幅Ｗ１を約０．１１λ0（約０．２５λ01）とした際のＶＳＷＲの周波数特性を図４に示す。図４を参照すると、８１５ＭＨｚにおけるＶＳＷＲは３．０を示しており、９２５ＭＨｚないし２１７０ＭＨｚにおいてはＶＳＷＲが約２．６以下の良好な特性を示している。そして、平面アンテナ１の長さＬ１および幅Ｗ１をこれ以上小さくすると、低域の８００ＭＨｚ帯のＶＳＷＲが３を超えるようになることから、上記寸法が長さＬ１および幅Ｗ１の下限の寸法とされる。
【００１４】
また、第１ループエレメント１１ａのテーパ部と第２ループエレメント１２ａのテーパ部との距離Ｌ２を約０．０９λ0（約０．２λ01）とした際のＶＳＷＲの周波数特性を図５に示す。図５を参照すると、８１５ＭＨｚにおけるＶＳＷＲは３．０を示しており、９２５ＭＨｚないし２１７０ＭＨｚにおいてはＶＳＷＲが約２．６以下の良好な特性を示している。そして、距離Ｌ２をこれ以上大きくすると、低域の８００ＭＨｚ帯のＶＳＷＲが３を超えるようになることから、上記寸法が距離Ｌ２の上限の寸法とされる。そして、距離Ｌ２を約０．０５λ0（約０．１３λ01）とした際のＶＳＷＲの周波数特性を図６に示す。図６を参照すると、８１５ＭＨｚにおけるＶＳＷＲは３．０を示しており、９２５ＭＨｚないし２１７０ＭＨｚにおいてはＶＳＷＲが約２．７以下の良好な特性を示している。そして、距離Ｌ２をこれ以上小さくすると、低域の８００ＭＨｚ帯のＶＳＷＲが３を超えるようになることから、上記寸法が距離Ｌ２の下限の寸法とされる。
【００１５】
さらに、第１Ｔ型エレメント１１ｂおよび第２Ｔ型エレメント１２ｂの頭部と、第１ループエレメント１１ａと第２ループエレメント１２ａの水平部との間隔Ｓ２を約０．００２λ0（約０．０４λ01）とした際のＶＳＷＲの周波数特性を図７に示す。図７を参照すると、８１５ＭＨｚにおけるＶＳＷＲは３．０を示しており、９２５ＭＨｚないし２１７０ＭＨｚにおいてはＶＳＷＲが約２．７以下の良好な特性を示している。そして、間隔Ｓ２がこれ以上大きくなると、低域の８００ＭＨｚ帯のＶＳＷＲが３を超えるようになることから、上記寸法が間隔Ｓ２の上限の寸法とされる。そして、この間隔Ｓ２を約０．００１λ0（約０．０３λ01）とした際のＶＳＷＲの周波数特性を図８に示す。図８を参照すると、８１５ＭＨｚにおけるＶＳＷＲは３．０を示しており、９２５ＭＨｚないし２１７０ＭＨｚにおいてはＶＳＷＲが約２．７以下の良好な特性を示している。そして、間隔Ｓ２がこれ以上狭くなると、低域の８００ＭＨｚ帯のＶＳＷＲが３を超えるようになることから、上記寸法が間隔Ｓ２の下限の寸法とされる。
【００１６】
さらにまた、第１Ｔ型エレメント１１ｂおよび第２Ｔ型エレメント１２ｂの頭部と、第１ループエレメント１１ａと第２ループエレメント１２ａの垂直部との間隔Ｓ１を約０．０４λ0（約０．１λ01）とした際のＶＳＷＲの周波数特性を図９に示す。図９を参照すると、８１５ＭＨｚにおけるＶＳＷＲは３．０を示しており、９２５ＭＨｚないし２１７０ＭＨｚにおいてはＶＳＷＲが約２．８以下の良好な特性を示している。そして、間隔Ｓ１がこれ以上大きくなると、低域の８００ＭＨｚ帯のＶＳＷＲが３を超えるようになることから、上記寸法が間隔Ｓ１の上限の寸法とされる。そして、この間隔Ｓ１を０λ0（０λ01）として頭部を垂直部に密着させた際のＶＳＷＲの周波数特性を図１０に示す。図１０を参照すると、８１５ＭＨｚにおけるＶＳＷＲは３．０を示しており、９２５ＭＨｚないし２１７０ＭＨｚにおいてはＶＳＷＲが約２．８以下の良好な特性を示している。そして、間隔Ｓ１はこれ以上狭くならないから間隔Ｓ１の下限は０とされる。
【００１７】
さらにまた、無給電素子１３の長さＬ３を約０．１３λ0（約０．２９λ01）とした際のＶＳＷＲの周波数特性を図１１に示す。図１１を参照すると、８１５ＭＨｚにおけるＶＳＷＲは３．０を示しており、９２５ＭＨｚないし２１７０ＭＨｚにおいてはＶＳＷＲが約２．９以下の良好な特性を示している。そして、長さＬ３がこれ以上長くなると、低域の８００ＭＨｚ帯のＶＳＷＲが３を超えるようになることから、上記寸法が長さＬ３の上限の寸法とされる。そして、この長さＬ３を０λ0（０λ01）として無給電素子１３を省略した際のＶＳＷＲの周波数特性を図１２に示す。図１２を参照すると、８１５ＭＨｚにおけるＶＳＷＲは３．０を示しており、９２５ＭＨｚないし２１７０ＭＨｚにおいてはＶＳＷＲが約２．９以下の良好な特性を示している。このように、第１実施例の平面アンテナ１において無給電素子１３を設けることは必須の構成ではないものとされる。
【００１８】
次に、本発明にかかる第２実施例の平面アンテナ２のの構成を図１３および図１４に示す。ただし、ただし、図１３は第２実施例の平面アンテナの一面の構成を示しており、図１４は第２実施例の平面アンテナの他面の構成を示している。
これらの図に示すように、本発明の第２実施例にかかる平面アンテナ２は、テフロン基板やガラスエポキシ基板等の高周波特性の良好な絶縁性の基板２０の一面に第１エレメント２１と第２エレメント２２との２つがプリントにより形成されて構成されている。第２実施例の平面アンテナ２は、第１実施例の平面アンテナ１とほぼ同様の構成とされており、第１エレメント２１は給電点から拡がるテーパ部を有しほぼ基板２０の周縁に沿って形成されている第１ループエレメント２１ａと、この第１ループエレメント２１ａの内部に形成された第１Ｔ型エレメント２１ｂとから構成されている。第１ループエレメント２１ａにおけるテーパ部は基板２０の縁部に向かって次第に幅が拡がるよう形成されており、第１Ｔ型エレメント２１ｂの頭部の幅は、第１実施例の平面アンテナ１より広い幅に形成されている。
【００１９】
また、第２エレメント２２は第１エレメント２１とほぼ線対称の形状に形成されており、給電点から拡がるテーパ部を有しほぼ基板２０の周縁に沿って形成されている第２ループエレメント２２ａと、この第２ループエレメント２２ａの内部に形成された第２Ｔ型エレメント２２ｂとから構成されている。第２ループエレメント２２ａにおけるテーパ部も基板２０の縁部に向かって次第に幅が拡がるよう形成されており、第２Ｔ型エレメント２２ｂの頭部の幅も、第１実施例の平面アンテナ１より広い幅に形成されている。
基板２０の他面には横方向に細長く延伸された無給電素子２３が、例えば第２エレメント２２に対面するよう形成されている。また、第１エレメント２１の給電点とスルーホールで接続された給電部２４ａのパターンと、第２エレメント２２の給電点とスルーホールで接続された給電部２４ｂのパターンとが形成されている。平面アンテナ２は同軸ケーブルにより給電されるが、同軸ケーブルの芯線が給電部２４ａのパターンにハンダ付けにより接続され、芯線に同軸配置されているシールド導体が給電部２４ｂのパターンにハンダ付けにより接続される。なお、無給電素子２３は第１エレメント２１に対面するよう形成しても良いし、また省略しても良い。
【００２０】
本発明の第２実施例にかかる平面アンテナ２は、８００ＭＨｚ帯および２０００ＭＨｚ帯を使用している携帯電話網において動作可能な平面アンテナとされ、少なくとも８１５ＭＨｚないし２１７０ＭＨｚの周波数帯において３以下となるＶＳＷＲ特性を示すようにされている。この場合の平面アンテナ１の寸法例を次に示す。
平面アンテナ２の横の長さＬ１１は約１１８ｍｍとされ、平面アンテナ２の幅Ｗ１１は約５７ｍｍとされ、無給電素子２３の長さＬ１３は約５０ｍｍとされ、無給電素子２３の幅Ｗ１２は約４ｍｍとされている。このように、本発明にかかる第２実施例の平面アンテナ２は、従来の平面アンテナ１００より若干大きくされているが十分小型の平面アンテナとされている。
【００２１】
また、第１ループエレメント２１ａと第２ループエレメント２２ａの垂直部の幅Ｄ１１および水平部の幅Ｄ１２は約８ｍｍとされている。さらに、第１Ｔ型エレメント２１ｂおよび第２Ｔ型エレメント２２ｂの頭部の長さＷ１３は約３５ｍｍとされ、その幅Ｄ１３は約１６ｍｍとされ、その直線部の幅Ｄ１４は約４ｍｍとされ、直線部の中心軸までの長さＬ１２は約３２．５ｍｍとされている。さらにまた、第１Ｔ型エレメント２１ｂおよび第２Ｔ型エレメント２２ｂの頭部と、第１ループエレメント２１ａと第２ループエレメント２２ａの垂直部との間隔Ｓ１１は約２．５ｍｍとされ、第１Ｔ型エレメント２１ｂおよび第２Ｔ型エレメント２２ｂの頭部と、第１ループエレメント２１ａと第２ループエレメント２２ａの水平部との間隔Ｓ１２は約３ｍｍとされている。
【００２２】
このような寸法とされた際の本発明の第２実施例の平面アンテナ２の電圧定在波比（ＶＳＷＲ）の周波数特性を図１５に示す。図１５を参照すると、８１５ＭＨｚないし２１７０ＭＨｚにおいてはＶＳＷＲが約３．０以下の良好な特性を示しており、８００ＭＨｚ帯から２０００ＭＨｚ帯までを十分カバーしていることが分かる。特に、低域の８００ＭＨｚ帯のＶＳＷＲは１．７以下の良好なＶＳＷＲ特性を示している。
このように、Ｔ型エレメントの頭部を大きく形成すると低域の周波数特性が良好になることから、Ｔ型エレメントは主に低域の動作に寄与しており、ループエレメントは低中域から高域までの動作に寄与しているものと考えられる。また、他面に形成された無給電素子は低域での整合を取る作用を奏している。これは、第１実施例の平面アンテナ１でも第２実施例の平面アンテナ２でも同様とされている。
【産業上の利用可能性】
【００２３】
以上説明した本発明にかかる平面アンテナは、８００ＭＨｚ帯および２０００ＭＨｚ帯とされている携帯電話網に使用できる広い周波数帯で動作するアンテナとすることができる。また、携帯電話網に限らず８００ＭＨｚ帯から２０００ＭＨｚ帯の周波数帯を使用する種々の通信網を利用する通信モジュールに、本発明にかかる平面アンテナを適用させることができる。この場合、低域の特性は横方向の長さを調整したりＴ型エレメントの形状を変化させて調整することができる。
以上説明したように、本発明にかかる平面アンテナは小型かつ広帯域のアンテナとなることから種々の機器に組み込む通信モジュールのアンテナとして好適なアンテナとすることができる。
【図面の簡単な説明】
【００２４】
【図１】本発明にかかる第１実施例の平面アンテナの一面の構成を示す図である。
【図２】本発明にかかる第１実施例の平面アンテナの他面の構成を示す図である。
【図３】本発明にかかる第１実施例の平面アンテナのＶＳＷＲの周波数特性を示す図である。
【図４】本発明にかかる第１実施例の平面アンテナの寸法を変化させた際のＶＳＷＲの周波数特性を示す図である。
【図５】本発明にかかる第１実施例の平面アンテナのテーパ部の間隔の寸法を変化させた際のＶＳＷＲの周波数特性を示す図である。
【図６】本発明にかかる第１実施例の平面アンテナのテーパ部の間隔の寸法を変化させた際のＶＳＷＲの周波数特性を示す図である。
【図７】本発明にかかる第１実施例の平面アンテナのＴ型エレメントとループエレメントの水平部との間隔の寸法を変化させた際のＶＳＷＲの周波数特性を示す図である。
【図８】本発明にかかる第１実施例の平面アンテナのＴ型エレメントとループエレメントの水平部との間隔の寸法を変化させた際のＶＳＷＲの周波数特性を示す図である。
【図９】本発明にかかる第１実施例の平面アンテナのＴ型エレメントとループエレメントの垂直部との間隔の寸法を変化させた際のＶＳＷＲの周波数特性を示す図である。
【図１０】本発明にかかる第１実施例の平面アンテナのＴ型エレメントとループエレメントの垂直部との間隔の寸法を変化させた際のＶＳＷＲの周波数特性を示す図である。
【図１１】本発明にかかる第１実施例の平面アンテナの無給電素子の寸法を変化させた際のＶＳＷＲの周波数特性を示す図である。
【図１２】本発明にかかる第１実施例の平面アンテナの無給電素子を省略した際のＶＳＷＲの周波数特性を示す図である。
【図１３】本発明にかかる第２実施例の平面アンテナの一面の構成を示す図である。
【図１４】本発明にかかる第２実施例の平面アンテナの他面の構成を示す図である。
【図１５】本発明にかかる第２実施例の平面アンテナのＶＳＷＲの周波数特性を示す図である。
【図１６】従来の平面アンテナの構成を示す図である。
【図１７】従来の平面アンテナのＶＳＷＲの周波数特性を示す図である。
【符号の説明】
【００２５】
１  平面アンテナ、２  平面アンテナ、１０  基板、１１  第１エレメント、１１ａ  第１ループエレメント、１１ｂ  第１Ｔ型エレメント、１２  第２エレメント、１２ａ  第２ループエレメント、１２ｂ  第２Ｔ型エレメント、１３  無給電素子、１４ａ  給電部、１４ｂ  給電部、２０  基板、２１  第１エレメント、２１ａ  第１ループエレメント、２１ｂ  第１Ｔ型エレメント、２２  第２エレメント、２２ａ  第２ループエレメント、２２ｂ  第２Ｔ型エレメント、２３  無給電素子、２４ａ  給電部、２４ｂ  給電部、１００  平面アンテナ、１１０  基板、１１１  第１エレメント、１１２  第２エレメント、１１３ａ  給電点、１１３ｂ  給電点
【図１】
2008035077.tif 000003
【図２】
2008035077.tif 000004
【図３】
2008035077.tif 000005
【図４】
2008035077.tif 000006
【図５】
2008035077.tif 000007
【図６】
2008035077.tif 000008
【図７】
2008035077.tif 000009
【図８】
2008035077.tif 000010
【図９】
2008035077.tif 000011
【図１０】
2008035077.tif 000012
【図１１】
2008035077.tif 000013
【図１２】
2008035077.tif 000014
【図１３】
2008035077.tif 000015
【図１４】
2008035077.tif 000016
【図１５】
2008035077.tif 000017
【図１６】
2008035077.tif 000018
【図１７】
2008035077.tif 000019